(57)【要約】【課題】  風時等の障子に大きな力が作用したときに発生する衝撃を軽減する。【解決手段】  障子５に連結されて開閉力を障子５に伝達するとともに、障子５が窓開口を閉じる向きに変位したときに、当該変位を妨げる向きの力を障子５に作用させる緩衝器１３を設ける。これにより、障子５と緩衝器１３とは常に連結した構成となるとともに、開閉力は緩衝器１３を介して障子５に伝達される構成となる。つまり、緩衝器１３は、開閉力を障子５に伝達する伝達機構を担う。そして、緩衝器１３は、常に障子５に対して減衰力を作用させることが可能な状態となる。このため、強風時等の障子５に大きな力が作用したときであっても、障子５が変位し始めると同時に障子５に減衰力が作用し始めるので、衝撃力を軽減できる。【選択図】図３
2015081459.tif 000002
【特許請求の範囲】
【請求項１】
窓開口を縁取る窓枠と、
前記窓開口を閉じた状態と前記窓開口を開いた状態との間で変位する障子と、
前記障子を前記窓枠に対して変位させる開閉力を発生する動力部と、
前記障子に連結されて前記開閉力を前記障子に伝達するとともに、前記障子が前記窓開口を閉じる向きに変位したときに、当該変位を妨げる向きの力を前記障子に作用させる緩衝器と
を備えることを特徴とする窓開閉装置。
【請求項２】
前記緩衝器は、粘性流体が封入された容器、及び当該容器内を前記障子の変位と連動して変位する可動部材を有する粘性ダンパーであることを特徴とする請求項１に記載の窓開閉装置。
【請求項３】
前記緩衝器は、前記障子を開く向きの弾性力を発揮するばねを有することを特徴とする請求項１又は２に記載の窓開閉装置。
【請求項４】
前記動力部で発生した回転動力を受け回転する雄ねじ部、及び当該雄ねじ部に噛み合う雌ねじ部を有するナットを備え、
前記緩衝器は、筒状のシリンダ、及び当該シリンダ内に変位可能に収納されたロッドを有し、
前記緩衝器の長手方向一端側は前記障子に対して揺動可能に連結され、前記緩衝器の長手方向他端側は前記ナットに対して揺動可能に連結されていることを特徴とする請求項１ないし３のいずれか１項に記載の窓開閉装置。
【発明の詳細な説明】
【技術分野】
【０００１】
本発明は、窓開閉装置に関する。
【背景技術】
【０００２】
例えば、特許文献１に示すタイプの窓開閉装置は、障子が閉作動する際に、障子と窓枠とが強く衝突することを防止する緩衝器が設けられている。緩衝器の代表的な構成は、ねじりコイルばね等のばね、及び障子に接触したときに障子から押圧力を受けて当該ばねを弾性変形させるアーム等を有した構成である。
【先行技術文献】
【特許文献】
【０００３】
【特許文献１】特開２００３−２４７３７１号公報
【発明の概要】
【発明が解決しようとする課題】
【０００４】
しかし、上記の緩衝器のアームは、常に障子に接触していない。つまり、障子と窓枠とのなす角（以下、開度ともいう。）が予め設定された所定角度以下となったときに、障子とアームとが接触するものの、開度が所定角度より大きいときには、アームは障子に接触しない。
【０００５】
そして、強風時等の障子に大きな力が作用する場合には、障子が大きな速度でアームに衝突するので、緩衝器が作動し始める時、つまり障子にアームが接触する時に大きな衝撃が発生してしまう。
【０００６】
本発明は、上記点に鑑み、強風時等の障子に大きな力が作用したときに発生する衝撃を軽減することを目的とする。
【課題を解決するための手段】
【０００７】
本発明は、上記目的を達成するために、窓開口（１Ａ）を縁取る窓枠（３）と、窓開口（１Ａ）を閉じた状態と窓開口（１Ａ）を開いた状態との間で変位する障子（５）と、障子（５）を窓枠（３）に対して変位させる開閉力を発生する動力部（９）と、障子（５）に連結されて開閉力を障子（５）に伝達するとともに、障子（５）が窓開口（１Ａ）を閉じる向きに変位したときに、当該変位を妨げる向きの力（以下、減衰力ともいう。）を障子（５）に作用させる緩衝器（１３）とを備えることを特徴とする。
【０００８】
これにより、本発明では、障子（５）と緩衝器（１３）とは常に連結した構成となるとともに、開閉力は緩衝器（１３）を介して障子（５）に伝達される構成となる。つまり、本発明に係る緩衝器（１３）は、開閉力を障子（５）に伝達する伝達機構を担う。
【０００９】
そして、本発明では、緩衝器（１３）は、常に障子（５）に対して減衰力を作用させることが可能な状態となる。このため、強風時等の障子（５）に大きな力が作用したときであっても、障子（５）が変位し始めると同時に障子（５）に減衰力が作用し始めるので、衝撃力を軽減できる。
【００１０】
また、従来は、緩衝器（１３）と伝達機構とは別々に設けられており、かつ、緩衝器（１３）は開閉力を障子に伝達する機能を有していない。これに対して、本発明では、緩衝器（１３）は、開閉力を障子（５）に伝達する伝達機構を担っているので、緩衝器（１３）と伝達機構とが別々に設けられた窓開閉装置に比べて、窓開閉装置を単純な構造とすることができる。
【００１１】
以上のように、本発明では、強風時等の障子に大きな力が作用したときに発生する衝撃を軽減しつつ、窓開閉装置の構造を簡素な構造とすることができる。
因みに、上記各手段等の括弧内の符号は、後述する実施形態に記載の具体的手段等との対応関係を示す一例であり、本発明は上記各手段等の括弧内の符号に示された具体的手段等に限定されるものではない。
【図面の簡単な説明】
【００１２】
【図１】本発明の第１実施形態に係る窓開閉装置の正面図である。
【図２】本発明の第１実施形態に係る窓開閉装置の閉鎖状態を示す断面図である。
【図３】本発明の第１実施形態に係る窓開閉装置の換気状態を示す断面図である。
【図４】本発明の第１実施形態に係る窓開閉装置の排煙状態を示す断面図である。
【図５】（ａ）は本発明の第１実施形態に係る窓開閉装置の換気状態を示す斜視図である。（ｂ）は本発明の第１実施形態に係る窓開閉装置の換気状態時に強風が障子５に作用した状態を示す斜視図である。
【図６】本発明の第２実施形態に係る窓開閉装置の閉鎖状態を示す断面図である。
【図７】本発明の第２実施形態に係る窓開閉装置の換気状態を示す断面図である。
【図８】本発明の第２実施形態に係る窓開閉装置の排煙状態を示す断面図である。
【図９】本発明の第３実施形態に係る窓開閉装置に用いられる緩衝器１３の断面図である。
【発明を実施するための形態】
【００１３】
以下に説明する「発明の実施形態」は実施形態の一例を示すものである。つまり、特許請求の範囲に記載された発明特定事項等は、下記の実施形態に示された具体的手段や構造等に限定されるものではない。
【００１４】
本実施形態は、排煙窓用の窓開閉装置に本発明を適用したものである。各図に付された方向を示す矢印等は、各図相互の関係を理解し易くするために記載したものである。本発明は、各図に付された方向に限定されるものではない。
【００１５】
少なくとも符号を付して説明した部材又は部位は、「複数」や「２つ以上」等の断りをした場合を除き、少なくとも１つ設けられている。以下、本発明の実施形態を図面と共に説明する。
【００１６】
（第１実施形態）
１．窓開閉装置の概略構成
図１に示す排煙窓１は窓枠３及び障子５を有している。窓枠３は、外壁等の建築物（図示せず）の壁に設けられた窓開口１Ａを縁取る枠体である。因みに、本実施形態に係る窓開口１Ａは矩形状であるため、窓枠３も矩形枠状に形成されている。
【００１７】
窓枠３はアルミニウム合金等の軽金属製である。当該窓枠３は一対の縦枠部３Ａ及び一対の横枠部３Ｂを有する。一対の縦枠部３Ａは障子５を挟んで水平方向両側に位置する。一対の横枠部３Ｂは障子５を挟んで鉛直方向両側に位置する。
【００１８】
障子５は矩形枠状の枠部５Ｃを有している。枠部５Ｃには、ガラス板や金属板等の板状部材が嵌め込まれている。なお、枠部５Ｃはアルミニウム合金等の軽金属製である。障子５は窓枠３に対して変位可能である。
【００１９】
すなわち、障子５は、窓開口１Ａを閉じた状態（図２参照）と窓開口１Ａを開いた状態（図３及び図４参照）との間で変位できる。障子５は、図１に示す一対の揺動軸５Ａを介して窓枠３に対して揺動可能に組み付けられている。つまり、本実形態に係る障子５は、閉状態と開状態との間で揺動可能である。
【００２０】
各揺動軸５Ａは、各縦枠部３Ａに組み付けられ、かつ、その揺動中心軸線Ｌ１は、水平方向に平行となっている。そして、各揺動軸５Ａは障子５の上端側に設けられている。このため、窓開口１Ａが開かれた状態では、図３に示すように、障子５の下端が窓枠３より室外側に変位する。
【００２１】
窓開口１Ａが閉じられた状態では、図２に示すように、障子５は、縦枠部３Ａと略平行となるとともに、障子５の少なくとも一部が窓枠３内に収納された状態となる。障子５には錘部５Ｂが設けられている。錘部５Ｂは、重力を利用して障子５を開いた状態側に変位させる。
【００２２】
このため、錘部５Ｂは、障子５に対して障子５の変位方向にずれた位置に設けられている。障子５の変位方向とは、閉じた状態にある障子５に対してずれた位置をいう。なお、本実施形態では、揺動中心軸線Ｌ１の位置、つまり揺動軸５Ａの位置は、縦枠部３Ａの長手方向寸法中央より上側に設定されている。
【００２３】
このため、障子５それ自体は、枠部５Ｃ及び枠部５Ｃに嵌め込まれた板状部材に作用する重力により、窓開口１Ａを閉じた状態とする向きに揺動変位する。一方、錘部５Ｂは、障子５の上端側であって、閉じた状態にある障子５に対して室内側にずれた位置に設けられている。したがって、錘部５Ｂに作用する重力は、窓開口１Ａを開いた状態とする向きのモーメントを障子５に作用させる。
【００２４】
２．開閉機構
開閉機構７は障子５を強制的に開閉作動させる。当該開閉機構７は、図１に示すように、動力部９及び伝達機構１１を有している。動力部９は障子５を窓枠３に対して変位させる開閉力を発生する。
【００２５】
本実施形態に係る動力部９は電動モータ（図示せず。）により開閉力を発生する。操作パネル９Ａは、動力部９の作動、つまり電動モータの回転及び停止等を指示するための第１操作部９Ｂ〜第３操作部９Ｄを有する。なお、操作パネル９Ａの詳細は後述する。
【００２６】
伝達機構１１は、動力部９で発生した開閉力（本実施形態では回転力）を障子５に伝達することにより、障子５を強制的に開閉作動させる。具体的には、伝達機構１１は緩衝器１３及び作用部１５を有している。作用部１５は緩衝器１３に開閉力を作用させる。
【００２７】
すなわち、作用部１５はシャフト１５Ａ〜１５Ｄ及び転向ユニット１５Ｅ等を有している。シャフト１５Ａ〜１５Ｄは、動力部９で発生した回転力を受けて回転する。転向ユニット１５Ｅは、シャフト１５Ａ〜１５Ｃにより伝達される回転力の向きを転向させる。
【００２８】
なお、本実施形態に係る転向ユニット１５Ｅは、ベベル歯車、フェース歯車、ヘリカル歯車又はウォーム等を有して回転力の向きを転向させる歯車機構により構成されている。
図２に示すように、縦枠部３Ａと平行に延びるシャフト１５Ｄは、その長手方向一端側がねじシャフト１５Ｆに連結されている。ねじシャフト１５Ｆは、外周に雄ねじが形成された雄ねじ軸である。ねじシャフト１５Ｆには、当該雄ねじと噛み合う雌ねじが形成された可動ナット１５Ｇが嵌め込まれている。
【００２９】
緩衝器１３は、シリンダ１３Ａ、ロッド１３Ｂ及びばね１３Ｃを有している。シリンダ１３Ａは、一端側が閉塞され、かつ、他端側が開放された筒状の部材である。ロッド１３Ｂは、シリンダ１３Ａの開放端側からシリンダ１３Ａ内に出没変位可能に収納された棒状の部材である。
【００３０】
ロッド１３Ｂの長手方向端部のうちシリンダ１３Ａ内に位置する部位には、ロッド１３Ｂ全体がシリンダ１３Ａから抜け出ることを防止する鍔状のストッパ部（図示せず。）が設けられている。シリンダ１３Ａ内の開放端側には、当該ストッパ部に引っ掛かって係合する被ストッパ部（図示せず。）が設けられている。
【００３１】
ばね１３Ｃは、シリンダ１３Ａ内のうち閉塞端側とロッド１３Ｂとの間に配設された弾性体であって、自然長に対して圧縮変形した状態で収納されている。このため、ばね１３Ｃは、常に、ロッド１３Ｂをシリンダ１３Ａから押し出す弾性力をロッド１３Ｂに作用させる。
【００３２】
そして、緩衝器１３の長手方向一端側（本実施形態ではシリンダ１３Ａの閉塞端側）Ａは障子５に対して揺動可能に連結されている。緩衝器１３の長手方向他端側（本実施形態では、ロッド１３Ｂの長手方向他端側）Ｂは可動ナット１５Ｇに対して揺動可能に連結されている。
【００３３】
なお、緩衝器１３と障子５との連結部Ａは、図２〜図４に示すように、障子５の位置に依らず、常に、緩衝器１３と可動ナット１５Ｇとの連結部Ｂより揺動軸５Ａ側（本実施形態では上側）に位置する。
【００３４】
可動ナット１５Ｇは緩衝器１３に連結されているため、可動ナット１５Ｇは、ねじシャフト１５Ｆを中心として回転できない。このため、ねじシャフト１５Ｆが回転すると、可動ナット１５Ｇは、回転することなく、ねじシャフト１５Ｆの回転角に比例して、ねじシャフト１５Ｆの長手方向（本実施形態では、上下方向）に沿って平行移動する。
【００３５】
３．窓開閉機構の作動
本実施形態に係る動力部９は電動モータにより回転力を発生する。図１に示す操作パネル９Ａは、作業者等により操作される第１操作部９Ｂ〜第３操作部９Ｄを有する。第１操作部９Ｂ〜第３操作部９Ｄは、動力部９の作動、つまり電動モータの回転及び停止等を指示する際に作業者等により操作される。
【００３６】
電動モータが回転すると、当該回転力は伝達機構１１を介してねじシャフト１５Ｆに伝達される。このため、可動ナット１５Ｇは、ねじシャフト１５Ｆの回転の向きに応じていずれかの向きに平行移動する。
【００３７】
＜閉鎖状態＞
窓開口１Ａが開いた状態（例えば、障子５が図４に示す状態）にあるときに第１操作部９Ｂが操作されると、電動モータが回転して可動ナット１５Ｇが揺動軸５Ａから離間する向き（以下、下向きともいう。）に平行移動する。
【００３８】
これにより、連結部Ｂが連結部Ａに対して離間していくので、図３の実線で示すように、ロッド１３Ｂがシリンダ１３Ａから出ていき、緩衝器１３の全長（連結部Ａから連結部Ｂまでの長さ）が伸張していく。
【００３９】
そして、可動ナット１５Ｇが更に下向きに平行移動して、ロッド１３Ｂのストッパ部とシリンダ１３Ａの被ストッパ部とが係合すると、緩衝器１３の伸張が停止する。緩衝器１３の伸張が停止した状態で可動ナット１５Ｇが更に下向きに平行移動すると、図２に示すように、可動ナット１５Ｇの下方向き変位に連動して、障子５は窓開口１Ａを閉じる向きに変位する。
【００４０】
つまり、少なくとも緩衝器１３の伸張が停止した状態では、緩衝器１３は、動力部９で発生した障子５を窓枠３に対して変位させる力（以下、開閉力ともいう。）を障子５に伝達する。なお、可動ナット１５Ｇが下方向き変位するときには、開閉力のうち窓開口１Ａを閉じる向きの力が緩衝器１３を介して障子５に伝達される。
【００４１】
なお、緩衝器１３の伸張が停止する前、つまり、ストッパ部と被ストッパ部とが係合する前においては、ロッド１３Ｂとシリンダ１３Ａとが擦れ合う（摺接ともいう。）部分で発生する摩擦力により開閉力が障子５に伝達される。このため、緩衝器１３の伸張が停止する前であっても、当該摩擦力により障子５は変位する。
【００４２】
なお、窓開口１Ａが障子５により閉じられると、図示しないロック機構により障子５が窓枠３に対して変位することを規制された閉じた状態が保持されるとともに、電動モータが停止する。なお、電動モータの停止は、以下のいずれかの手法により停止させられる。
【００４３】
すなわち、（ａ）第１操作部９Ｂが操作されて電動モータへの通電が開始された時から予め決められた第１所定時間が経過したとき、（ｂ）電動モータに流れる電流値が予め決められた所定電流値を超えたとき、（ｃ）図示しない検出部により窓開口１Ａが閉じた状態であることが検知されたときに電動モータへの通電が停止する。
【００４４】
＜換気状態＞
窓開口１Ａが閉じた状態、つまり障子５が図２に示す状態にあるときに、第２操作部９Ｃが操作されると、電動モータが回転して可動ナット１５Ｇは、図３の実線及び図５（ａ）に示すように、揺動軸５Ａに近接する向き（以下、上向きともいう。）に平行移動する。
【００４５】
可動ナット１５Ｇが上向きに移動すると、ロッド１３Ｂには、連結部Ｂを連結部Ａ側（障子５側）に押圧する押圧力が作用する。ロッド１３は、当該押圧力によりシリンダ１３Ａ内に没するとともに、ばね１３Ｃが圧縮変形する。因みに、ばね１３Ｃを圧縮変形させる力は、障子５に作用する重力が緩衝器１３に作用させる力（以下、閉力ともいう。）である。
【００４６】
なお、錘部５Ｂに作用する重力によるモーメントは、窓開口１Ａを開く向きのモーメントを障子５作用させるので、当該モーメントは上記閉力を相殺するように減少させる。このため、本実施形態では、ばね１３Ｃが大きく圧縮変形することなく、可動ナット１５Ｇの上向き変位に応じて、窓開口１Ａを開く向きに障子５が揺動変位する。
【００４７】
つまり、可動ナット１５Ｇが上向き変位するときには、開閉力のうち窓開口１Ａを開く向きの力が緩衝器１３を介して障子５に伝達される。そして、換気状態においては、ばね１３Ｃが更なる圧縮変形をすることが可能な状態で可動ナット１５Ｇが停止する。
【００４８】
このため、強風等により障子５に大きな力が作用して閉力が大きくなった場合には、ばね１３Ｃが更に圧縮変形して、図３の二点鎖線及び図５（ｂ）で示すように、ロッド１３Ｂがシリンダ１３Ａ内に没するとともに、窓開口１Ａが閉じる向きに障子５が変位する。
【００４９】
このとき、可動ナット１５Ｇは停止したままであるので、ばね１３Ｃが更に圧縮変形すると、緩衝器１３は、障子５の変位を妨げる向きの力（以下、減衰力ともいう。）を障子５に作用させる。
【００５０】
なお、図４に示す排煙状態にあるときに、第２操作部９Ｃが操作されると、可動ナット１５Ｇが下向きに変位して換気状態となる。つまり、排煙状態では、可動ナット１５Ｇは、排煙状態と閉鎖状態との中間に位置する。
【００５１】
＜排煙状態＞
窓開口１Ａが閉じた状態又は換気状態にあるときに、第３操作部９Ｄが操作されると、電動モータが回転し、可動ナット１５Ｇは、図４に示すように、換気状態にあるときよりも揺動軸５Ａ側（上方側）の位置まで平行移動する。これにより、動力部９で発生した開閉力は緩衝器１３を介して障子５に伝達される。
【００５２】
そして、排煙状態では、ロッド１３Ｂがシリンダ１３Ａに対して変位不可となるまで、ロッド１３Ｂがシリンダ１３Ａ内に没した状態となる。このため、排煙状態では、緩衝器１３はその全長が変化しないリンク棒のようになるので、障子５の位置は、図４に示す位置に保持される。したがって、強風等が障子５に作用しても、窓開口１Ａを閉じる向きに障子５が変位してしまうことが規制される。
【００５３】
なお、本実施形態では、障子５の位置を検知する検出部（図示せず。）が設けられている。閉鎖状態、換気状態及び排煙状態のいずれの状態に障子５が位置するかは、当該検出部からの信号を利用して判断される。
【００５４】
３．本実施形態に係る窓開閉装置の特徴
本実施形態では、障子５と緩衝器１３とは常に連結した構成となるとともに、開閉力は緩衝器１３を介して障子５に伝達される構成となる。つまり、本実施形態に係る緩衝器１３は、開閉力を障子５に伝達する伝達機構を担う。
【００５５】
そして、本実施形態では、緩衝器１３は、常に障子５に対して減衰力を作用させることが可能な状態となる。このため、強風時等の障子５に大きな力が作用したときであっても、障子５が変位し始めると同時に障子５に減衰力が作用し始めるので、衝撃力を軽減できる。
【００５６】
本実施形態では、緩衝器１３は、開閉力を障子５に伝達する伝達機構を担っているので、緩衝器１３と伝達機構とが別々に設けられた従来型の排煙窓に比べて単純な構造とすることができる。
【００５７】
（第２実施形態）
第１実施形態に係る排煙窓１は、障子５が窓枠３に対して揺動する方式であったが、本実施形態は、いわゆる「滑り出し窓」に本発明を適用したものである。「滑り出し窓」とは、例えば、図７及び図８に示すように、障子５の揺動軸５Ａが窓枠３に対して変位する窓装置である。
【００５８】
以下、第１実施形態に係る排煙窓及び窓開閉装置と異なる部位のみを説明する。なお、第１実施形態に係る窓開閉装置等と同一の定義で特定される部位には、第１実施形態と同一の符号が付されている。
【００５９】
１．窓開閉装置の構成
図６に示すように、揺動軸５Ａは、窓枠３に連結された第１アーム４Ａの長手方向一端側に設けられ、かつ、障子５の枠部５Ｃに揺動可能に連結されている。第１アーム４Ａの長手方向他端側は、窓枠３又はその周囲（以下、窓枠３等ともいう。）に揺動可能に連結されている。
【００６０】
第２アーム４Ｂの長手方向一端側は、図７に示すように、障子５の枠部５Ｃに揺動可能に連結されている。第２アーム４Ｂの長手方向他端側は、窓枠３又はその周囲に揺動可能に連結されている。
【００６１】
第２アーム４Ｂと枠部５Ｃとの連結部は、第１アーム４Ａと揺動軸５Ａとの連結部から少なくとも上下方向にずれた位置である。第２アーム４Ｂと窓枠３等との連結部Ｄは、第１アーム４Ａと窓枠３等との連結部Ｃから少なくとも上下方向にずれた位置である。
【００６２】
第２アーム４Ｂの長手方向中間部には、第３アーム４Ｃの長手方向一端が揺動可能に連結されている。第３アーム４Ｃの長手方向他端側は窓枠３又はその周囲に揺動可能に連結されている。因みに、本実施形態では錘部５Ｂが設けられておらず、障子５の自重を利用している。しかし、第１実施形態と同様に錘部５Ｂを設けてもよい。
【００６３】
そして、第１アーム４Ａと窓枠３等との連結部Ｃ、及び第２アーム４Ｂと窓枠３等との連結部Ｄは、連結部Ｃ、Ｄ間の距離を保持したままねじシャフト１５Ｆと平行な方向（本実施形態では上下方向）に変位できる。第２アーム４Ｂと窓枠３等との連結部Ｄの位置は、窓枠３等に対して不動である。
【００６４】
なお、本実施形態では、後述するように、窓開口１Ａを開く向きに障子５を変位させる際には、可動ナット１５Ｇは下向きに変位する。窓開口１Ａを閉じる向きに障子５を変位させる際には、可動ナット１５Ｇは上向きに変位する。このため、緩衝器１３と障子５との連結部Ａは、緩衝器１３と可動ナット１５Ｇとの連結部Ｂより下側に設けられている。
【００６５】
２．窓開閉装置の作動
＜閉鎖状態＞
窓開口１Ａが開いた状態（例えば、障子５が図８に示す状態）にあるときに第１操作部９Ｂが操作されると、電動モータが回転して可動ナット１５Ｇが上向きに移動する。これにより、障子５は図７の実線で示す状態を経て図６に示す状態に変位する。つまり、第１操作部９Ｂが操作されると、窓開口１Ａを閉じる向きに障子５が変位する。
【００６６】
なお、図８に示す排煙状態では、ロッド１３Ｂがシリンダ１３Ａに対して変位不可となっている。このため、排煙状態から可動ナット１５Ｇが上向きに移動すると、概ね図７の実線で示す状態までは、ロッド１３Ｂがシリンダ１３Ａから出ていき、緩衝器１３の全長が伸張していく。そして、緩衝器１３の全長が伸張していく過程においては、ロッド１３Ｂとシリンダ１３Ａとの摺接部分で発生する摩擦力により開閉力が障子５に伝達される。
【００６７】
そして、可動ナット１５Ｇが更に上向きに平行移動して、ロッド１３Ｂのストッパ部とシリンダ１３Ａの被ストッパ部とが係合すると、緩衝器１３の伸張が停止する。緩衝器１３の伸張が停止した状態で可動ナット１５Ｇが更に上向きに平行移動すると、図６に示すように、可動ナット１５Ｇの上方向き変位に連動して窓開口１Ａを閉じる向きに障子５が変位する。
【００６８】
＜換気状態＞
窓開口１Ａが閉じた状態にあるときに、第２操作部９Ｃが操作されると、電動モータが回転して可動ナット１５Ｇが下向きに移動する。これにより、図７に示すように、錘部５Ｂ及び障子５に作用する重力により第１アーム４Ａと障子５との連結部、つまり揺動軸５Ａが下方側に移動するように、第１アーム４Ａが外側に揺動するとともに、窓開口１Ａを開く向きのモーメントが障子５に作用する。
【００６９】
このため、障子５は窓開口１Ａが開く向きに変位するとともに、緩衝器１３は、ロッド１３Ｂがシリンダ１３Ａから延びた状態となる。そして、強風等により障子５に大きな力が作用して閉力が大きくなった場合には、ばね１３Ｃが更に圧縮変形して、図７の二点鎖線で示すように、ロッド１３Ｂがシリンダ１３Ａ内に没するとともに、窓開口１Ａが閉じる向きに障子５が変位する。
【００７０】
このとき、可動ナット１５Ｇは停止したままであるので、ばね１３Ｃが更に圧縮変形すると、緩衝器１３は、障子５の変位を妨げる向きの力、つまり減衰力を障子５に作用させる。これにより、強風時等の障子５に大きな力が作用したときであっても、衝撃力を軽減できる。
【００７１】
なお、図８に示す排煙状態にあるときに、第２操作部９Ｃが操作されると、可動ナット１５Ｇが上向きに変位して換気状態となる。
＜排煙状態＞
窓開口１Ａが閉じた状態又は換気状態にあるときに、第３操作部９Ｄが操作されると、電動モータが回転し、可動ナット１５Ｇは、図８に示すように、換気状態にあるときよりも下方側の位置まで平行移動する。これにより、動力部９で発生した開閉力は緩衝器１３を介して障子５に伝達される。
【００７２】
そして、排煙状態では、ロッド１３Ｂがシリンダ１３Ａに対して変位不可となるまで、ロッド１３Ｂがシリンダ１３Ａ内に没した状態となる。このため、排煙状態では、緩衝器１３はその全長が変化しないリンク棒のようになるので、障子５の位置は、図８に示す位置に保持される。したがって、強風等が障子５に作用しても、窓開口１Ａを閉じる向きに障子５が変位してしまうことが規制される。
【００７３】
（第３実施形態）
本実施形態に係る緩衝器１３は、図９に示すように、粘性流体が封入された容器１３Ａ、及び容器１３Ａ内を障子５の変位と連動して変位する可動部材１３Ｂを有する粘性ダンパーにて構成したものである。
【００７４】
なお、本実施形態では、容器１３Ａとして上述の実施形態と同様に筒状のシリンダ１３Ａを用い、可動部材１３Ｂとして上述の実施形態と同様なロッド１３Ｂを用いているが、本実施形態はこれに限定されるものではない。
【００７５】
例えば、容器１３Ａをカップ状とし、可動部材１３Ｂを当該カップ状の容器１３Ａ内で回転するベーン状としたロータリ式の粘性ダンパーにて緩衝器１３を構成してもよい。
（その他の実施形態）
上述の実施形態の実施形態に係る動力部９は電動モータを利用したものであったが、本実施形態はこれに限定されるものではなく、ハンドルボックス等の手動ハンドルにて動力を発生させるものであってもよい。
【００７６】
上述の実施形態に係る障子５は、水平方向に延びる揺動中心軸線Ｌ１を有して窓枠３に対して揺動する方式であったが、本発明はこれに限定されるものではなく、例えば、鉛直方向に延びる揺動中心軸線Ｌ１を有する障子５、又は障子５が窓枠３に対して平行移動する方式であってもよい。
【００７７】
上述の実施形態に係る伝達機構１１は、複数のシャフト１５Ａ〜１５Ｄ及び転向ユニット１５Ｅ等を有して構成されていたが、本発明はこれに限定されるものではなく、例えば、シャフト１５Ａ〜１５Ｄに代えてギヤードケーブルとした構成、又は通常のケーブルを用いた構成等であってもよい。
【００７８】
上述の実施形態では、窓開口１Ａが開いた状態として、換気状態及び排煙状態が設定されていたが、本発明はこれに限定されるものではなく、例えば、換気状態及び排煙状態のうちいずれか一方の状態を窓開口１Ａが開いた状態とした窓開閉装置であってもよい。
【００７９】
上述の実施形態では、障子５の位置を検知する検出部を設けていたが、本発明はこれに限定されるものではなく、例えば、換気状態及び排煙状態にする際には、一度、閉鎖状態にし、電動モータに流れる電流値が予め所定電流値を越えた時に、電動モータの回転を反転させて換気状態又は排煙状態としてもよい。
【００８０】
上述の実施形態では、１つの動力部９にて１つ窓開閉装置を作動させるものであったが、本発明はこれに限定されるものではなく、１つの動力部９にて複数の窓開閉装置を連動させて作動させてもよい。
【００８１】
本発明に係る緩衝器１３は、上述の実施形態に示された緩衝器１３に限定されるものではない。
上述の実施形態では、窓枠３や枠部５Ｃ等の軽金属に構成された部材をアルミニウム製としたが、本発明はこれに限定されものではなく、例えば、枠体３を樹脂、又は樹脂と軽金属との複合材料にて構成してもよい。
【００８２】
また、本発明は、特許請求の範囲に記載された発明の趣旨に合致するものであればよく、上述の実施形態に限定されるものではない。したがって、第１〜３実施形態のいずれかを組み合わせた形態であっても。
【符号の説明】
【００８３】
１… 排煙窓  １Ａ… 窓開口  ３… 窓枠  ３Ａ… 縦枠部
３Ｂ… 横枠部  ４Ａ… 第１アーム  ４Ｂ… 第２アーム
４Ｃ… 第３アーム  ５… 障子  ５Ａ… 揺動軸  ５Ｃ… 枠部
５Ｂ… 錘部  ７… 開閉機構  ９… 動力部
９Ａ… 操作パネル  １１… 伝達機構  １３… 緩衝器
１５Ｆ… ねじシャフト  １５Ｇ… 可動ナット
【図１】
2015081459.tif 000003
【図２】
2015081459.tif 000004
【図３】
2015081459.tif 000005
【図４】
2015081459.tif 000006
【図５】
2015081459.tif 000007
【図６】
2015081459.tif 000008
【図７】
2015081459.tif 000009
【図８】
2015081459.tif 000010
【図９】
2015081459.tif 000011